(57)【特許請求の範囲】
【請求項１】
容器体（１）の後側上端部に、該容器体（１）との間に隙間（１５）を形成して、係止孔（１４）を開設したセット板（１３）を一体に設け、該セット板（１３）の後側上端縁にヒンジ（２０）を介して長板状の保持板（１６）を連設し、該保持板（１６）に、その延出先端部に窓孔（１７）を開設し、また前記セット板（１３）に後側から重なった状態で、先端を前記隙間（１５）に突出させて前記係止孔（１４）に嵌入係止する係止突片（１８）を突設し、さらに延出先端部に、前記セット板（１３）に後側から重なった状態で、前記容器体（１）との間隙を小さくする挟持部（１９）を形成した合成樹脂製容器。
【請求項２】
容器体（１）を、有底筒状の容器本体（２）と、該容器本体（２）の上端開口部を塞ぐ形態で組付き固定され、形成した開口部（６）を蓋板（８）で開閉するキャップ体（３）とから構成し、セット板（１３）を、前記キャップ体（３）の周壁（５）の外周面後側部に一体に設けた請求項１記載の合成樹脂製容器。
【請求項３】
保持板（１６）の挟持部（１９）を、前記保持板（１６）がセット板（１３）に後側から重なった状態で、容器体（１）側に突出する横長な突片で構成した請求項１または２記載の合成樹脂製容器。
【発明の詳細な説明】
【０００１】
【発明の属する技術分野】
本発明は、吊り下げ保持状態と、挟み付け保持状態とを、簡単に切り替え利用可能とした合成樹脂製容器に関するものである。
【０００２】
【従来の技術】
陳列等の目的で、容器体を吊り下げ保持すべく、容器体に吊り下げ機能部分を一体的に設けた容器が知られており、この種の容器の代表的なものとして、特開平１０−２９１５４１号公報に開示されたものが知られている。
【０００３】
この吊り下げ機能部分付き容器は、容器本体の底面に、回動可能に吊り具を取付け固定し、この吊り具を起立させて、容器本体を逆立状に吊り下げ保持し、吊り具の非使用時は、吊り具を容器本体の底面に倒伏させて格納状態とし、容器本体を平面上に起立載置できるようにしている。
【０００４】
【発明が解決しようとする課題】
しかしながら、上記した従来技術にあっては、容器本体に取付けられた吊り具は、この容器本体を吊り下げ保持するだけの機能しか発揮せず、このため非使用時には邪魔となるので、容器本体の表面凹部（具体的には、底面の凹部）に倒伏格納して、容器本体の起立安置に支障を与えないようにする必要があり、非使用時に邪魔となって、取扱いが面倒となる、と云う問題があった。
【０００５】
また、非吊り下げ状態では、容器本体は、通常の容器と同様に、平面上に起立姿勢で載置され、その姿勢を自己保持するだけであるので、姿勢保持が必ずしも充分ではなく、特に車両内に載置する場合には、容器本体を保持するための専用の保持機能部を必要とする、と云う問題があった。
【０００６】
さらに、吊り具を利用した吊り下げ携帯が適当でない場合には、通常の容器と同様に、片手に持つか、バック等に収納しなければならず、便利で好ましい携帯状態を得ることができない、と云う問題があった。
【０００７】
そこで、本発明は、上記した従来技術における問題点を解消すべく創案されたもので、容器体に設けられた吊り下げ保持機能部を、吊り下げ保持以外の保持機能部として機能できるようにすることを技術的課題とし、もって容器体を安全にかつ便利に使用することができるようにすることを目的とする。
【０００８】
【課題を解決するための手段】
上記技術的課題を解決する本発明の内、請求項１記載の発明の手段は、
容器体の後側上端部に、この容器体との間に隙間を形成して、係止孔を開設したセット板を一体に設けること、このセット板の後側上端縁にヒンジを介して長板状の保持板を連設すること、この保持板に、延出先端部に窓孔を開設し、またセット板に後側から重なった状態で、セット板の係止孔に先端を隙間に突出させて嵌入係止する係止突片を突設し、さらに延出先端部に、セット板に後側から重なった状態で、容器体との間隙を小さくする挟持部を形成すること、にある。
【０００９】
保持板は、容器体に一体に設けられたセット板の後側上端縁にヒンジを介して連設されたものであるので、この保持板を持って容器体を吊り下げ保持することが可能であり、それゆえ容器体を、保持板の窓孔を店頭の吊り下げフックに引っ掛けて吊り下げ陳列することができる。
【００１０】
保持板をヒンジを軸として回動させてセット板に後側から重ねて、その係止突片をセット板の係止孔に強固に嵌合係止させることにより、保持板は、その延出先端部に形成した挟持部を狭い間隙で容器体表面に対向させるので、クリップ機能部を構成することになり、この保持板が発揮するクリップ機能を利用して、容器体を所望する箇所に取付け保持することができる。
【００１１】
すなわち、室内にあっては、壁やテーブル上等において、適当な襞状部分を、また車内にあっては、ダッシュボード等の適当な壁片部分を、保持板が形成するクリップ機能部で挟むことにより、容器体を不動に取付け固定でき、また携帯時にあっては、クリップ機能部を形成する保持板をベルトポケット部分に挟み付けることにより、容器体のきわめて安定した携帯状態を得ることができる。
【００１２】
請求項２記載の発明は、請求項１記載の発明の構成に、容器体を、有底筒状の容器本体と、この容器本体の上端開口部を塞ぐ形態で組付き固定され、形成した開口部を蓋板で開閉するキャップ体とから構成し、セット板を、キャップ体の周壁の外周面後側部に一体に設けた、ことを加えたものである。
【００１３】
この請求項２記載の発明においては、保持板を、容器本体の上端に、それ自体に開口部を形成することにより、容器本体に対して取外し不要に組付けられるキャップ体に設けたので、保持板による容器体の吊り下げ保持が、容器体を略正立姿勢に維持しながら達成され、また耐内容物性およびバリヤー性等の内容物収納に関連した物性に大きく束縛されることなく、強靱な弾性を発揮できる合成樹脂材料での成形が可能であるので、安定して強固なヒンジ作用とクリップ機能とを発揮することができる。
【００１４】
請求項３記載の発明は、請求項１記載の発明の構成に、保持板の挟持部を、保持板がセット板に後側から重なった状態で、容器体側に突出する横長な突片で構成した、ことを加えたものである。
【００１５】
この請求項３記載の発明においては、挟持部の構成がきわめて簡単になると共に、挟持部の突出高さ、すなわち容器体との間の間隙値の変更が簡単である。
【００１６】
【発明の実施の形態】
以下、本発明の一実施例を、図面を参照しながら説明する。
容器体１は、平面形状が長円状の有底筒構造をした容器本体２と、この容器本体２の上端開放部を塞ぐ形態で、被嵌状に組付き固定し、平面形状が容器本体２と同じ長円状の有頂筒構造をしたキャップ体３と、から構成されている。
【００１７】
キャップ体３は、容器本体２の上端部に外嵌する筒状の周壁５の上面を頂壁４で塞ぎ、この頂壁４の上面中央部に、中央部から前端縁にかけてに組付け凹部７を陥没設し、この組付け凹部７の中央に開口部６を開設すると共に、組付け凹部７の後端部に、開口部６を開閉する蓋板８を組付けて構成されている。
【００１８】
蓋板８は、開口部６に密嵌入する栓筒片１０を下面中央に垂下設した本体板部の後端縁中央部に、ヒンジを介して取付け片１２を一体に設け、また本体板部の後端縁両側端部を、後方に少し延出させて脚片１１に形成して、そして本体板部の先端部を組付け凹部７から前方に突出させて指掛け片９として構成され、取付け片１２を組付け凹部７の後端部に、嵌合とか接着等の手段で不動に固定することにより取付けられ、脚片１１は、この蓋板８の開姿勢（図３、参照）を自己保持する機能部分を構成している。
【００１９】
キャップ体３の周壁５の外周面後側中央には、周壁５外周面との間に隙間１５を形成した構成で、セット板１３が突出状に一体に設けられており、セット板１３の上端縁には、ヒンジ２０を介して長板状の保持板１６が連設されている。
【００２０】
セット板１３の略中央部には、横長孔状の係止孔１４が開設されており、この係止孔１４に対向して保持板１６に突設された係止突片１８は、横長突片状となっていると共に、その突出端がやや膨大して、係止孔１４に対する係止が強固となるようにしており、また係止孔１４に対する係止突片１８の嵌合係止は、セット板１３と周壁５との間に隙間１５が成形されているので、無理なく確実に達成されることになる。
【００２１】
保持板１６の延出先端部には、窓孔１７が開設されていて、図１に図示したように、吊り下げフック２１等に引っ掛けて、容器の店頭での吊り下げ陳列が行えるようにしている。
【００２２】
また、保持板１６の窓孔１７よりも先の延出先端部には、横長突片状の挟持部１９が形成されており、保持板１６がセット板１３に重なり組付きしてクリップ機能部を構成した際に、強力なクリップ力を発揮できるようにしている。
【００２３】
【発明の効果】
本発明は、上記した構成となっているので、以下に示す効果を奏する。
請求項１記載の発明にあっては、容器の吊り下げ保持と、クリップ機能による掴まり保持との切り替えが自在であるので、容器の安全で好ましい取扱い状態を得ることができる。
【００２４】
請求項２記載の発明にあっては、セット板と保持板との組み合わせ物をキャップ体に設けたので、このセット板と保持板との組み合わせ物を、耐内容物性およびバリヤー性等の内容物収納に関連した物性に束縛されることなく、強靱な弾性を発揮できる合成樹脂材料で成形することが可能であり、これにより安定して強固なヒンジ作用とクリップ機能とを発揮することができる。
【００２５】
請求項３記載の発明にあっては、挟持部の構成がきわめて簡単になると共に、挟持部の突出高さ、すなわち容器体との間の間隙値の変更が簡単であるので、実施が容易である。
【図面の簡単な説明】
【図１】本発明の第一実施例を示す、吊り下げ保持状態の全体斜視図。
【図２】図１に示した実施例の、後側から見た全体斜視図。
【図３】図１に示した実施例の、クリップ機能発揮状態の全体斜視図。
【図４】図１に示した実施例の、クリップ機能発揮状態での要部縦断面図。
【符号の説明】
１  ；  容器体
２  ；  容器本体
３  ；  キャップ体
４  ；  頂壁
５  ；  周壁
６  ；  開口部
７  ；  組付け凹部
８  ；  蓋板
９  ；  指掛け片
１０；  栓筒片
１１；  脚片
１２；  取付け片
１３；  セット板
１４；  係止孔
１５；  隙間
１６；  保持板
１７；  窓孔
１８；  係止突片
１９；  挟持部
２０；  ヒンジ
２１；  吊り下げフック
【図１】
0003907156.tif 000002
【図２】
0003907156.tif 000003
【図３】
0003907156.tif 000004
【図４】
0003907156.tif 000005